(57)【特許請求の範囲】
【請求項１】
ユーザ装置（ＵＥ）のためのワイヤレス通信の方法であって、
前記ＵＥのサービング基地局に、複数のリレイＵＥと通信する能力を示す情報を送信することと、
前記サービング基地局に、前記ＵＥと前記サービング基地局との間の無線リンクの１つまたは複数の測定値を送信することと、
前記送信された１つまたは複数の測定値に応答して生成された構成情報を、前記サービング基地局から、受信することと、前記構成情報は、前記複数のリレイＵＥを識別するための発見プロシージャに関連し、１つまたは複数の測定値のしきい値およびしきい値バックホールリンク品質を備え、
前記１つまたは複数の測定値が、前記１つまたは複数の測定値のしきい値を下回るとき、前記発見プロシージャを実施することによって２つ以上のリレイＵＥを、前記ＵＥによよって、識別することと、
前記発見プロシージャの前記実施によって識別された前記２つ以上のリレイＵＥの中から、前記ＵＥによって、リレイＵＥを選択することと、前記リレイＵＥを前記選択することは、前記選択されたリレイＵＥが前記サービング基地局から受信された前記構成情報に含まれる前記しきい値バックホールリンク品質を超えるバックホールリンク品質を有するとの決定に少なくとも基づく、
を備える、方法。
【請求項２】
前記ＵＥと前記サービング基地局との間の前記無線リンクの前記１つまたは複数の測定を実施すること、
をさらに備える、請求項１に記載の方法。
【請求項３】
前記構成情報は、基準信号受信電力（ＲＳＲＰ）しきい値およびヒステリシスを備え、ここにおいて、前記ＵＥは、前記ＵＥと前記サービング基地局との間の前記無線リンクのＲＳＲＰが前記ＲＳＲＰのしきい値より低いかまたはそれに等しいとき、前記発見プロシージャを実施する、請求項２に記載の方法。
【請求項４】
前記構成情報は、前記発見プロシージャを実施するためのコマンドを備える、請求項２に記載の方法。
【請求項５】
前記構成情報は、無線リソース制御（ＲＲＣ）再構成メッセージまたはシステム情報ブロック（ＳＩＢ）中で受信される、請求項４に記載の方法。
【請求項６】
前記選択されたリレイＵＥとの無線リンクを確立することと、
前記選択されたリレイＵＥとの確立された前記無線リンクを通して、前記サービング基地局と通信することと、
をさらに備える、請求項１に記載の方法。
【請求項７】
前記構成情報は、前記ＵＥと前記サービング基地局との間の無線リンクの障害に先立って前記発見プロシージャが実施されることを可能にする、請求項１に記載の方法。
【請求項８】
前記ＵＥと前記サービング基地局との間の無線リンクの障害を検出すること、
ここにおいて、前記構成情報は、前記ＵＥと前記サービング基地局との間の前記無線リンクの前記障害を検出した際に、前記発見プロシージャが実施されることを可能にする、  をさらに備える、請求項１に記載の方法。
【請求項９】
前記構成情報がいずれのリレイＵＥの選択の基準も含まないとき、前記２つ以上の識別されたリレイＵＥの中から任意のリレイＵＥを選択することをさらに備える、請求項１に記載の方法。
【請求項１０】
ユーザ装置（ＵＥ）であって、
前記ＵＥのサービング基地局に、複数のリレイＵＥと通信する能力を示す情報と、前記ＵＥと前記サービング基地局との間の無線リンクの１つまたは複数の測定値とを送信するための手段と、
前記送信された１つまたは複数の測定値に応答して生成された構成情報を、前記サービング基地局から、受信するための手段と、前記構成情報は、前記複数のリレイＵＥを識別するための発見プロシージャに関連し、１つまたは複数の測定値のしきい値およびしきい値バックホールリンク品質を備え、
前記１つまたは複数の測定値が、前記１つまたは複数の測定値のしきい値を下回るとき、前記発見プロシージャを実施することによって２つ以上のリレイＵＥを識別するための手段と、
前記発見プロシージャの前記実施によって識別された前記２つ以上のリレイＵＥの中からリレイＵＥを選択するための手段と、前記リレイＵＥを前記選択することは、前記選択されたリレイＵＥが前記サービング基地局から受信された前記構成情報に含まれる前記しきい値バックホールリンク品質を超えるバックホールリンク品質を有するとの決定に少なくとも基づく、
を備える、ＵＥ。
【請求項１１】
前記選択されたリレイＵＥとの無線リンクを確立するための手段と、
前記選択されたリレイＵＥとの確立された前記無線リンクを通して、前記基地局と通信するための手段と、
をさらに備える、請求項１０に記載のＵＥ。
【請求項１２】
前記構成情報は、前記ＵＥと前記基地局との間の無線リンクの障害に先立って前記発見プロシージャが実施されることを可能にする、請求項１０に記載のＵＥ。
【請求項１３】
前記ＵＥと前記サービング基地局との間の無線リンクの障害を検出するための手段、  ここにおいて、前記構成情報は、前記ＵＥと前記サービング基地局との間の前記無線リンクの前記障害を検出した際に、前記発見プロシージャが実施されることを可能にする、  をさらに備える、請求項１０に記載のＵＥ。
【請求項１４】
ユーザ装置（ＵＥ）であって、
メモリと、
前記メモリに結合された少なくとも１つのプロセッサと、
を備え、前記少なくとも１つのプロセッサは、
前記ＵＥのサービング基地局に、複数のリレイＵＥと通信する能力を示す情報を送信することと、
前記サービング基地局に、前記ＵＥと前記サービング基地局との間の無線リンクの１つまたは複数の測定値を送信することと、
前記送信された１つまたは複数の測定値に応答して生成された構成情報を、前記サービング基地局から、受信することと、前記構成情報は、前記複数のリレイＵＥを識別するための発見プロシージャに関連し、１つまたは複数の測定値のしきい値およびしきい値バックホールリンク品質を備え、
前記１つまたは複数の測定値が、前記１つまたは複数の測定値のしきい値を下回るとき、前記発見プロシージャを実施することによって２つ以上のリレイＵＥを識別することと、
前記発見プロシージャの前記実施によって識別された前記２つ以上のリレイＵＥの中からリレイＵＥを選択することと、前記リレイＵＥを前記選択することは、前記選択されたリレイＵＥが前記サービング基地局から受信された前記構成情報に含まれる前記しきい値バックホールリンク品質を超えるバックホールリンク品質を有するとの決定に少なくとも基づく、
を行うように構成される、ＵＥ。
【請求項１５】
ワイヤレス通信のためのコンピュータ実行可能コードを記憶するコンピュータ読み取り可能な媒体であって、
前記ＵＥのサービング基地局に、複数のリレイＵＥと通信する能力を示す情報を送信することと、
前記サービング基地局に、前記ＵＥと前記サービング基地局との間の無線リンクの１つまたは複数の測定値を送信することと、
前記送信された１つまたは複数の測定値に応答して生成された構成情報を、前記サービング基地局から、受信することと、前記構成情報は、前記複数のリレイＵＥを識別するための発見プロシージャに関連し、１つまたは複数の測定値のしきい値およびしきい値バックホールリンク品質を備え、
前記１つまたは複数の測定値が、前記１つまたは複数の測定値のしきい値を下回るとき、前記発見プロシージャを実施することによって２つ以上のリレイＵＥを識別することと、
前記発見プロシージャの前記実施によって識別された前記２つ以上のリレイＵＥの中からリレイＵＥを選択することと、前記リレイＵＥを前記選択することは、前記選択されたリレイＵＥが前記サービング基地局から受信された前記構成情報に含まれる前記しきい値バックホールリンク品質を超えるバックホールリンク品質を有するとの決定に少なくとも基づく、
を行うためのコードを備える、コンピュータ読み取り可能な媒体。
【発明の詳細な説明】
【関連出願の相互参照】
【０００１】
[0001]  本出願は、「Configuration by eNB for D2D UE to Network Relay Search」と題され２０１５年３月２４日に出願された米国仮出願第６２／１３７，７６７号、および「Configuration by eNB for D2D UE to Network Relay Search」と題され２０１６年３月４日に出願された米国特許出願第１５／０６１，８９６号の利益を主張し、それらは、参照によって全体が明示的にここに組み込まれている。
【技術分野】
【０００２】
[0002]  本開示は、一般に通信システムに関し、より具体的には、ネットワークリレイ探索を実施するための、基地局によるデバイス・ツー・デバイス（Ｄ２Ｄ）ＵＥの構成に関する。
【背景技術】
【０００３】
[0003]  ワイヤレス通信システムは、電話通信、ビデオ、データ、メッセージング、およびブロードキャスト等の様々な電気通信サービスを提供するために広く展開されている。典型的なワイヤレス通信システムは、利用可能なシステムリソースを共有することによって複数のユーザとの通信をサポートすることが可能な多元接続技術を用い得る。このような多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムを含む。
【０００４】
[0004]  これらの多元接続技術は、異なるワイヤレスデバイスが、都市、国家、地域、さらには地球規模で通信することを可能にする共通プロトコルを提供するために、様々な電気通信規格において採用されてきた。例示的な電気通信規格が、ロングタームエボリューション（ＬＴＥ（登録商標））である。ＬＴＥは、第３世代パートナーシッププロジェクト（３ＧＰＰ（登録商標））によって公表されたユニバーサルモバイル電気通信システム（ＵＭＴＳ）モバイル規格の拡張セットである。ＬＴＥは、ダウンリンク上ではＯＦＤＭＡを、アップリンク上ではＳＣ−ＦＤＭＡを使用し、かつ多入力多出力（ＭＩＭＯ）アンテナ技術を使用して、改善されたスペクトル効率、下げられたコスト、および改善されたサービスによってモバイルブロードバンドアクセスをサポートするように設計されている。しかしながら、モバイルブロードバンドアクセスに対する需要が増大し続けると、ＬＴＥ技術におけるさらなる改善の必要性が存在する。これらの改善はまた、これらの技術を用いる電気通信規格および他の多重アクセス（multi-access）技術にも適用可能であり得る。
【０００５】
[0005]  １つの改善は、ＬＴＥがデバイス・ツー・デバイス（Ｄ２Ｄ）通信をサポートするように構成されることであり、それはｅＮＢ通信に加えてＵＥ間の直接の通信を含み（involve）得る。いくつかの状況下では、ＵＥは、セルの外れ（the fringe of a cell）またはセルの外側にあり、ｅＮＢと通信することができない可能性がある。その一方でＵＥは、ｅＮＢの範囲内に配置された１つまたは複数のＵＥのＤ２Ｄ通信の範囲内には依然として位置し得る。したがって、ＬＴＥ、特にＤ２Ｄは、ｅＮＢからセルの外れまたはセルの外側に配置されたＵＥへ通信を中継（relay）する１つまたは複数のＵＥのうちの少なくとも１つから、利益を享受することになる。
【発明の概要】
【０００６】
[0006]  以下は、１つまたは複数の態様の基本的な理解を提供するために、そのような態様の簡略化された概要を提示する。この概要は、すべての考慮された態様の広範な概観ではなく、そして、すべての態様の主要または重要な要素を特定するようにも、任意またはすべての態様の範囲を詳細に叙述するようにも、意図されていない。その唯一の目的は、後に提示されるより詳細な説明への前置きとして、簡略化された形式で１つまたは複数の態様のうちのいくつかの概念を提示することである。
【０００７】
[0007]  本開示の一態様では、方法、コンピュータ読み取り可能な媒体、および装置が提供される。装置は、ユーザ装置（ＵＥ）であり得る。装置は、基地局に、１つまたは複数のリレイＵＥと通信するための能力を示す情報を送信する。加えて、装置は、基地局から、１つまたは複数のリレイＵＥを識別するための発見プロシージャに関連する構成情報を受信する。さらに、装置は、構成情報に基づいて、発見プロシージャを実施する。
【０００８】
[0008]  前述の目的および関連する目的を達成するために、１つまたは複数の態様が、以下に十分に説明され、かつ特許請求の範囲において具体的に示される特徴を備える。以下の説明および添付の図面は、１つまたは複数の態様のある特定の例示的な特徴を詳細に記載する。しかしながら、これらの特徴は様々な態様の原理が用いられ得る様々な方法のうちのほんのいくつかを示しているのであって、本説明は、すべてのそのような態様およびそれらの同等物を含むように意図されている。
【図面の簡単な説明】
【０００９】
【図１】[0009]  図１は、ワイヤレス通信システムおよびアクセスネットワークの例を例示する図である。
【図２Ａ】[0010]  図２Ａは、ＬＴＥの例の、ＤＬフレーム構造を例示する図である。
【図２Ｂ】図２Ｂは、ＬＴＥの例の、ＤＬフレーム構造内のＤＬチャネルを例示する図である。
【図２Ｃ】図２Ｃは、ＬＴＥの例の、ＵＬフレーム構造を例示する図である。
【図２Ｄ】図２Ｄは、ＬＴＥの例の、ＵＬフレーム構造内のＵＬチャネルを例示する図である。
【図３】[0011]  図３は、アクセスネットワークにおける発展型ＮｏｄｅＢ（ｅＮＢ）およびユーザ装置（ＵＥ）の例を例示する図である。
【図４】[0012]  図４は、デバイス・ツー・デバイス通信システムの図である。
【図５】[0013]  図５は、ワイヤレス通信システムのセルを例示する図である。
【図６】[0014]  図６は、ＵＥがリレイＵＥを選択することおよびリレイＵＥと通信することを例示するコールフローダイアグラムである。
【図７】[0015]  図７は、ワイヤレス通信の方法のフローチャートである。
【図８】[0016]  図９は、例示的な装置内の、異なる手段／コンポーネント間のデータフローを例示する概念的なデータフローダイアグラムである。
【図９】[0017]  図９は、処理システムを用いる装置のためのハードウェアインプリメンテーションの例を例示する図である。
【詳細な説明】
【００１０】
[0018]  添付図面に関連して以下に記載される詳細な説明は、様々な構成の説明として意図されており、ここに説明される概念が実施され得るのはこれらの構成においてのみであることを表すようには意図されていない。詳細な説明は、様々な概念の徹底的な理解を提供することを目的として特定の詳細を含む。しかしながら、これらの概念がこれらの特定の詳細なしに実施され得ることは、当業者に明らかとなる。いくつかの事例では、そのような概念をあいまいにすることを避けるために、周知の構造およびコンポーネントは、ブロック図の形式で示される。
【００１１】
[0019]  電気通信システムのいくつかの態様が、これから様々な装置および方法に関連して提示される。これらの装置および方法は、続く詳細な説明において説明され、（「要素」と総称される）様々なブロック、コンポーネント、回路、プロセス、アルゴリズム等によって、添付図面に例示される。これらの要素は、電子ハードウェア、コンピュータソフトウェア、またはこれらの任意の組合せを使用してインプリメントされ得る。このような要素が、ハードウェアとしてインプリメントされるか、あるいはソフトウェアとしてインプリメントされるかは、特定の用途およびシステム全体に課せられる設計制約に依存する。
【００１２】
[0020]  例として、要素、またはある要素の任意の部分、または複数の要素の任意の組合せは、１つまたは複数のプロセッサを含む「処理システム」としてインプリメントされ得る。プロセッサの例は、マイクロプロセッサ、マイクロコントローラ、グラフィックスプロセシングユニット（ＧＰＵ）、中央処理装置（ＣＰＵ）、アプリケーションプロセッサ、デジタルシグナルプロセッサ（ＤＳＰ）、ＲＩＳＣ（reduced instruction set computing）プロセッサ、システムオンチップ（ＳｏＣ）、ベースバンドプロセッサ、フィールドプログラマブルゲートアレイ（ＦＰＧＡ）、プログラマブル論理デバイス（ＰＬＤ）、ステートマシン、ゲート論理、ディスクリートハードウェア回路、および本開示全体にわたって説明される様々な機能性（functionality）を実施するように構成された他の好適なハードウェアを含む。処理システムにおける１つまたは複数のプロセッサは、ソフトウェアを実行し得る。ソフトウェアは、ソフトウェア、ファームウェア、ミドルウェア、マイクロコード、ハードウェア記述言語等の名称に関わらず、命令、命令セット、コード、コードセグメント、プログラムコード、プログラム、サブプログラム、ソフトウェアコンポーネント、アプリケーション、ソフトウェアアプリケーション、ソフトウェアパッケージ、ルーチン、サブルーチン、オブジェクト、実行ファイル、実行スレッド、プロシージャ、関数等を意味すると広く解釈されるべきである。
【００１３】
[0021]  したがって、１つまたは複数の例示的な実施形態では、説明される機能は、ハードウェア、ソフトウェア、またはそれらの任意の組合せでインプリメントされ得る。ソフトウェアでインプリメントされる場合、これら機能は、コンピュータ読み取り可能な媒体において１つまたは複数の命令またはコードとして符号化されるかまたは記憶され得る。コンピュータ読み取り可能な媒体は、コンピュータ実行可能命令またはデータ構造を搬送するかまたは記憶するための一時的なまたは非一時的なコンピュータ記憶媒体を含み得る。一時的な記憶媒体と非一時的な記憶媒体の両方は、処理システムの一部としてコンピュータによってアクセスされることができるいかなる利用可能な媒体でもあり得る。限定ではなく例として、そのようなコンピュータ読み取り可能な媒体は、ランダムアクセスメモリ（ＲＡＭ）、読み取り専用メモリ（ＲＯＭ）、電気的に消去可能なプログラム可能なＲＯＭ（ＥＥＰＲＯＭ（登録商標））、光ディスク記憶装置、磁気ディスク記憶装置、他の磁気記憶デバイス、前述のタイプのコンピュータ読み取り可能な媒体の組合せ、またはコンピュータによってアクセスされることができる命令またはデータ構造の形式でコンピュータ実行可能コードを記憶するために使用されることができるいかなる他の媒体も備えることができる。さらに、情報がネットワークまたは別の通信接続（ハードワイヤード、ワイヤレス、またはそれらの組合せのいずれか）を介してコンピュータに転送または提供されるとき、コンピュータまたは処理システムは、特定の媒体に応じて、その接続を、一時的なまたは非一時的なコンピュータ読み取り可能な媒体として適切に決定する。したがって、いかなるそのような接続も、コンピュータ読み取り可能な媒体と適切に称される。上記の組合せもまた、コンピュータ読み取り可能な媒体の範囲内に含まれるべきである。非一時的なコンピュータ読み取り可能な媒体は、信号自体（signals per se）およびエアインタフェースを除外する。
【００１４】
[0022]  図１は、ワイヤレス通信システムおよびアクセスネットワーク１００の例を例示する図である。ワイヤレス通信システム１００（ワイヤレスワイドエリアネットワーク（ＷＷＡＮ）とも呼ばれる）は、基地局１０２、ＵＥ１０４、および発展型パケットコア（ＥＰＣ）１６０を含む。基地局１０２は、マクロセル（高電力セルラ基地局）および／またはスモールセル（低電力セルラ基地局）を含み得る。マクロセルはｅＮＢを含む。スモールセルは、フェムトセル、ピコセル、およびマイクロセルを含む。
【００１５】
[0023]  基地局１０２（発展型ユニバーサルモバイル電気通信システム（ＵＭＴＳ）地上波無線アクセスネットワーク（Ｅ−ＵＴＲＡＮ）と総称される）は、バックホールリンク１３２（例えば、Ｓ１インタフェース）を通してＥＰＣ１６０とインタフェースする。他の機能に加えて、基地局１０２は、次の機能のうちの１つまたは複数を実施し得る：ユーザデータの転送、無線チャネルの暗号化および解読、完全性保護（integrity protection）、ヘッダ圧縮、モビリティ制御機能（例えば、ハンドオーバ、デュアル接続性）、セル間干渉調整、接続セットアップおよびリリース、負荷バランシング、ＮＡＳ（non-access stratum）メッセージのための分配、ＮＡＳノード選択、同期、無線アクセスネットワーク（ＲＡＮ）共有、マルチメディアブロードキャストマルチキャストサービス（ＭＢＭＳ）、加入者および装置トレース（subscriber and equipment trace）、ＲＡＮ情報管理（ＲＩＭ）、ページング、ポジショニング（positioning）、および警告メッセージの配信。基地局１０２は、バックホールリンク１３４（例えば、Ｘ２インタフェース）を介して互いに直接的にまたは間接的に（例えば、ＥＰＣ１６０を通して）通信し得る。バックホールリンク１３４は、ワイヤードまたはワイヤレスであり得る。
【００１６】
[0024]  基地局１０２は、ＵＥ１０４とワイヤレスに通信し得る。基地局１０２の各々は、それぞれの地理的なカバレッジエリア１１０に通信カバレッジを提供し得る。オーバーラップしている地理的なカバレッジエリア１１０があり得る。例えば、スモールセル１０２’は、１つまたは複数のマクロ基地局１０２のカバレッジエリア１１０とオーバーラップするカバレッジエリア１１０’を有し得る。スモールセルとマクロセルとの両方を含むネットワークは、異種のネットワーク（a heterogeneous network）として知られている可能性がある。異種のネットワークはまた、ホーム発展型ＮｏｄｅＢ（ｅＮＢ）（ＨｅＮＢ）を含み得、それはクローズド加入者グループ（ＣＳＧ）として知られる制限されたグループにサービスを提供し得る。基地局１０２とＵＥ１０４との間の通信リンク１２０は、ＵＥ１０４から基地局１０２へのアップリンク（ＵＬ）（リバースリンクとも呼ばれる）送信、および／または、基地局１０２からＵＥ１０４へのダウンリンク（ＤＬ）（フォワードリンクとも呼ばれる）送信を含み得る。通信リンク１２０は、空間多重化、ビームフォーミング、および／または送信ダイバーシティを含む、ＭＩＭＯアンテナ技術を使用し得る。通信リンクは、１つまたは複数のキャリアを通したものであり得る。基地局１０２／ＵＥ１０４は、各方向の送信のために使用される合計Ｙｘ  ＭＨｚ（ｘ個のコンポーネントキャリア）までのキャリアアグリゲーションに割り振られたキャリアごとに、Ｙ  ＭＨｚ（例えば、５、１０、１５、２０ＭＨｚ）までの帯域幅のスペクトルを使用し得る。キャリアの割り振りは、ＤＬおよびＵＬについて非対称であり得る（例えば、ＵＬよりも多くのおよびＵＬよりも少ないキャリアが、ＤＬに割り振られ得る）。コンポーネントキャリアは、プライマリコンポーネントキャリアおよび１つまたは複数のセカンダリコンポーネントキャリアを含み得る。プライマリコンポーネントキャリアは、プライマリセル（ＰＣｅｌｌ）と称され得、セカンダリコンポーネントキャリアは、セカンダリセル（Ｓセル）と称され得る。
【００１７】
[0025]  ワイヤレス通信システム１００は、５ＧＨｚのアンライセンス周波数スペクトルにおいて通信リンク１５４を介してＷｉ−Ｆｉ局（ＳＴＡ）１５２と通信しているＷｉ−Ｆｉアクセスポイント（ＡＰ）１５０をさらに含み得る。アンライセンス周波数スペクトルで通信するとき、ＳＴＡ１５２／ＡＰ１５０は、チャネルが利用可能であるかどうか決定するために、通信に先立ってクリアチャネルアセスメント（ＣＣＡ）を実施し得る。
【００１８】
[0026]  スモールセル１０２’は、ライセンスおよび／またはアンライセンス周波数スペクトルで動作し得る。アンライセンス周波数スペクトルで動作するとき、スモールセル１０２’は、ＬＴＥを用い、Ｗｉ−Ｆｉ  ＡＰ１５０によって使用されるものと同じ５ＧＨｚのアンライセンス周波数スペクトルを使用し得る。アンライセンス周波数スペクトルでＬＴＥを用いるスモールセル１０２’は、アクセスネットワークの容量を増加させるおよび／またはカバレッジを引き上げ（boost）得る。アンライセンススペクトルにおけるＬＴＥは、ＬＴＥアンライセンス（ＬＴＥ−Ｕ）、ライセンス支援アクセス（ＬＡＡ：licensed assisted access）、またはＭｕＬＴＥｆｉｒｅと称され得る。
【００１９】
[0027]  ＥＰＣ１６０は、モビリティ管理エンティティ（ＭＭＥ）１６２、他のＭＭＥ１６４、サービングゲートウェイ１６６、マルチメディアブロードキャストマルチキャストサービス（ＭＢＭＳ）ゲートウェイ１６８、ブロードキャストマルチキャストサービスセンタ（ＢＭ−ＳＣ）１７０、およびパケットデータネットワーク（ＰＤＮ）ゲートウェイ１７２を含み得る。ＭＭＥ１６２は、ホーム加入者サーバ（ＨＳＳ）１７４と通信している可能性がある。ＭＭＥ１６２は、ＵＥ１０４とＥＰＣ１６０の間のシグナリングを処理する制御ノードである。一般に、ＭＭＥ１６２は、ベアラおよび接続管理を提供する。すべてのユーザインターネットプロトコル（ＩＰ）パケットは、それ自体がＰＤＮゲートウェイ１７２に接続されたサービングゲートウェイ１６６を通じて転送される。ＰＤＮゲートウェイ１７２は、ＵＥ  ＩＰアドレス割り振り、ならびに他の機能を提供する。ＰＤＮゲートウェイ１７２およびＢＭ−ＳＣ１７０は、ＩＰサービス１７６に接続される。ＩＰサービス１７６は、インターネット、イントラネット、ＩＰマルチメディアサブシステム（ＩＭＳ）、ＰＳストリーミングサービス（ＰＳＳ）、および／または他のＩＰサービスを含み得る。ＢＭ−ＳＣ１７０は、ＭＢＭＳユーザサービスのプロビジョニングおよび配信のための機能を提供し得る。ＢＭ−ＳＣ１７０は、コンテンツプロバイダのＭＢＭＳ送信のためのエントリポイントとしての役目を果たし得、パブリックランドモバイルネットワーク（ＰＬＭＮ：public land mobile network）内のＭＢＭＳベアラサービスを認可（authorize）および開始するために使用され得、かつＭＢＭＳ送信をスケジュールするために使用され得る。ＭＢＭＳゲートウェイ１６８は、特定のサービスをブロードキャストするマルチキャストブロードキャスト単一周波数ネットワーク（ＭＢＳＦＮ）エリアに属する基地局１０２にＭＢＭＳトラフィックを分配するために使用され得、セッション管理（開始／停止）とｅＭＢＭＳ関連課金情報の収集とを担い得る。
【００２０】
[0028]  基地局はまた、ノードＢ、アクセスポイント、トランシーバ基地局、無線基地局、無線トランシーバ、トランシーバ機能、基本サービスセット（ＢＳＳ：basic service set）、拡張サービスセット（ＥＳＳ：extended service set）、または何らかの他の好適な用語でも呼ばれ得る。ｅＮＢ１０２は、ＵＥ１０４に、ＥＰＣ１６０へのアクセスポイントを提供する。ＵＥ１０４の例は、セルラ電話、スマートフォン、セッション開始プロトコル（ＳＩＰ）電話、ラップトップ、携帯情報端末（ＰＤＡ）、衛星無線機（satellite radio）、全地球測位システム、マルチメディアデバイス、ビデオデバイス、デジタルオーディオプレーヤ（例えば、ＭＰ３プレーヤ）、カメラ、ゲーム機、タブレット、スマートデバイス、ウェアラブルデバイス、または任意の他の同様に機能するデバイスを含む。ＵＥ１０４はまた、局、モバイル局、加入者局、モバイルユニット、加入者ユニット、ワイヤレスユニット、遠隔ユニット、モバイルデバイス、ワイヤレスデバイス、ワイヤレス通信デバイス、遠隔デバイス、モバイル加入者局、アクセス端末、モバイル端末、ワイヤレス端末、遠隔端末、ハンドセット、ユーザエージェント、モバイルクライアント、クライアント、または何らかの他の好適な用語でも呼ばれ得る。
【００２１】
[0029]  図２Ａは、ＬＴＥにおけるＤＬフレーム構造の例を例示する図２００である。図２Ｂは、ＬＴＥにおけるＤＬフレーム構造内のチャネルの例を例示する図２３０である。図２Ｃは、ＬＴＥにおけるＵＬフレーム構造の例を例示する図２５０である。図２Ｄは、ＬＴＥにおけるＵＬフレーム構造内のチャネルの例を例示する図２８０である。他のワイヤレス通信技術は、異なるフレーム構造および／または異なるチャネルを有し得る。ＬＴＥでは、フレーム（１０ｍｓ）は、１０個の等しいサイズのサブフレームに分割され得る。各サブフレームは、２つの連続したタイムスロットを含み得る。１つのリソースグリッドは、２つの時間スロットを表すために使用され得、各時間スロットは１つまたは複数の時間的にコンカレントなリソースブロック（ＲＢ）（物理ＲＢ（ＰＲＢ）とも呼ばれる）を含む。リソースグリッドは、複数のリソース要素（ＲＥ）に分割される。ＬＴＥでは、通常のサイクリックプリフィックスの場合、１つのＲＢは、周波数領域における１２個の連続したサブキャリアと、時間領域における７個の連続したシンボル（ＤＬにはＯＦＤＭシンボル、ＵＬにはＳＣ−ＦＤＭＡシンボル）の、合計８４個のＲＥを含む。拡張されたサイクリックプリフィックスの場合、１つのＲＢは、周波数領域における１２個の連続したサブキャリアと時間領域における６個の連続したシンボルの合計７２個のＲＢを含む。各ＲＢによって搬送されるビット数は、変調スキームに依存する。
【００２２】
[0030]  図２Ａに例示されるように、ＲＥのうちのいくつかは、ＵＥにおけるチャネル推定のためのＤＬ基準（パイロット）信号（ＤＬ−ＲＳ）を搬送する。ＤＬ−ＲＳは、セル固有の基準信号（ＣＲＳ）（時に共通ＲＳとも呼ばれる）、ＵＥ固有の基準信号（ＵＥ−ＲＳ）、およびチャネル状態情報基準信号（ＣＳＩ−ＲＳ）を含み得る。図２Ａは、アンテナポート０、１、２、および３についてのＣＲＳ（Ｒ０、Ｒ１、Ｒ２、およびＲ３とそれぞれ示される）、アンテナポート５についてのＵＥ−ＲＳ（Ｒ５と示される）、およびアンテナポート１５についてのＣＳＩ−ＲＳ（Ｒと示される）を例示する。図２Ｂは、フレームのＤＬサブフレーム内の様々なチャネルの例を例示する。物理制御フォーマットインジケータチャネル（ＰＣＦＩＣＨ）は、スロット０のシンボル０内にあり、物理ダウンリンク制御チャネル（ＰＤＣＣＨ）が１つのシンボルを占有するか、２つのシンボルを占有するか、または３つのシンボルを占有するかを示す制御フォーマットインジケータ（ＣＦＩ）を搬送する（図２Ｂは、３つのシンボルを占有するＰＤＣＣＨを例示する）。ＰＤＣＣＨは、１つまたは複数の制御チャネル要素（ＣＣＥ）内でダウンリンク制御情報（ＤＣＩ）を搬送し、各ＣＣＥは、９つのＲＥグループ（ＲＥＧ）を含み、各ＲＥＧはＯＦＤＭシンボル内に４つの連続したＲＥを含む。ＵＥは、ＤＣＩの搬送も行う、ＵＥ固有のエンハンストＰＤＣＣＨ（ｅＰＤＣＣＨ）で構成され得る。ｅＰＤＣＣＨは、２、４、または８個のＲＢのペアを有し得る（図２Ｂは、２つのＲＢのペアを示し、各サブセットが１つのＲＢのペアを含む）。物理ハイブリッド自動再送要求（ＡＲＱ）（ＨＡＲＱ）インジケータチャネル（ＰＨＩＣＨ）もまた、スロット０のシンボル０にあり、物理アップリンク共有チャネル（ＰＵＳＣＨ）に基づいたＨＡＲＱアクノレッジメント（ＡＣＫ）／ネガティブＡＣＫ（ＮＡＣＫ）フィードバックを示すＨＡＲＱインジケータ（ＨＩ）を搬送する。プライマリ同期チャネル（ＰＳＣＨ）は、フレームのサブフレーム０および５内のスロット０のシンボル６内にあり、サブフレームタイミングおよび物理レイヤアイデンティティを決定するためにＵＥによって使用されるプライマリ同期信号（ＰＳＳ）を搬送する。セカンダリ同期チャネル（ＳＳＣＨ）は、フレームのサブフレーム０および５内のスロット０のシンボル５内にあり、物理レイヤセルアイデンティティグループ番号を決定するためにＵＥによって使用されるセカンダリ同期信号（ＳＳＳ）を搬送する。物理レイヤアイデンティティおよび物理レイヤセルアイデンティティグループ番号に基づいて、ＵＥは、物理セル識別子（ＰＣＩ）を決定することができる。ＰＣＩに基づいて、ＵＥは、前述のＤＬ−ＲＳの位置を決定することができる。物理ブロードキャストチャネル（ＰＢＣＨ）は、フレームのサブフレーム０のスロット１のシンボル０、１、２、３内にあり、マスター情報ブロック（ＭＩＢ）を搬送する。ＭＩＢは、システムフレーム番号（ＳＦＮ）、ＰＨＩＣＨ構成、およびＤＬシステム帯域幅におけるＲＢの数を提供する。物理ダウンリンク共有チャネル（ＰＤＳＣＨ）は、ページングメッセージ、システム情報ブロック（ＳＩＢ）のよう���ＰＢＣＨを通して送信されないブロードキャストシステム情報、およびユーザデータを搬送する。
【００２３】
[0031]  図２Ｃに例示されるように、ＲＥのうちのいくつかは、ｅＮＢにおけるチャネル推定のための復調基準信号（ＤＭ−ＲＳ）を搬送する。ＵＥはさらに、サブフレームの最後のシンボルにおいてサウンディング基準信号（ＳＲＳ）を送信し得る。ＳＲＳは、コーム構造（a comb structure）を有し得、ＵＥは、複数のコームのうちの１つ上でＳＲＳを送信し得る。ＳＲＳは、ＵＬ上での周波数依存型スケジューリングを可能にするためのチャネル品質推定のためにｅＮＢによって使用され得る。図２Ｄは、フレームのＵＬサブフレーム内の様々なチャネルの例を例示する。物理ランダムアクセスチャネル（ＰＲＡＣＨ）は、ＰＲＡＣＨ構成に基づいて、フレーム内の１つまたは複数のサブフレーム内にあり得る。ＰＲＡＣＨは、サブフレーム内で６つの連続したＲＢのペアを含み得る。ＰＲＡＣＨは、ＵＥが最初のシステムアクセスを実施し、ＵＬ同期を達成することを可能にする。物理アップリンク制御チャネル（ＰＵＣＣＨ）は、ＵＬシステム帯域幅のエッジに位置し得る。ＰＵＣＣＨは、スケジューリング要求、チャネル品質インジケータ（ＣＱＩ）、プリコーディングマトリックスインジケータ（ＰＭＩ）、ランクインジケータ（ＲＩ）、およびＨＡＲＱ  ＡＣＫ／ＮＡＣＫフィードバックのようなアップリンク制御情報（ＵＣＩ）を搬送する。ＰＵＳＣＨは、データを搬送し、さらにバッファステータス報告（ＢＳＲ）、電力ヘッドルーム報告（ＰＨＲ：power headroom report）、および／またはＵＣＩを搬送するために使用され得る。
【００２４】
[0032]  図３は、アクセスネットワーク内でＵＥ３５０と通信しているｅＮＢ３１０のブロック図である。ＤＬでは、ＥＰＣ１６０からのＩＰパケットは、コントローラ／プロセッサ３７５に提供され得る。コントローラ／プロセッサ３７５は、レイヤ３およびレイヤ２の機能性をインプリメントする。レイヤ３は、無線リソース制御（ＲＲＣ）レイヤを含み、レイヤ２は、パケットデータコンバージェンスプロトコル（ＰＤＣＰ）レイヤ、無線リンク制御（ＲＬＣ）レイヤ、および媒体アクセス制御（ＭＡＣ）レイヤを含む。コントローラ／プロセッサ３７５は、次のものを提供する：システム情報（例えば、ＭＩＢ、ＳＩＢ）のブロードキャスト、ＲＲＣ接続制御（例えば、ＲＲＣ接続ページング、ＲＲＣ接続確立、ＲＲＣ接続修正、およびＲＲＣ接続リリース）、インター無線アクセス技術（ＲＡＴ）モビリティ、およびＵＥ測定報告のための測定構成、に関連するＲＲＣレイヤの機能性；ヘッダ圧縮／解凍、セキュリティ（暗号化、解読、完全性保護、完全性検証）、およびハンドオーバサポート機能、に関連するＰＤＣＰレイヤの機能性；上位レイヤパケットデータユニット（ＰＤＵ）の転送、ＡＲＱによる誤り訂正、連結（concatenation）、セグメンテーション、およびＲＬＣサービスデータユニット（ＳＤＵ）のリアセンブリ、ＲＬＣデータＰＤＵの再セグメンテーション、およびＲＬＣデータＰＤＵの並べ替え、に関連するＲＬＣレイヤの機能性；および、論理チャネルとトランスポートチャネルとの間のマッピング、トランスポートブロック（ＴＢ）上へのＭＡＣ  ＳＤＵの多重化、ＴＢからのＭＡＣ  ＳＤＵの逆多重化、スケジューリング情報報告、ＨＡＲＱによる誤り訂正、優先処理（priority handling）、および論理チャネルの優先順位付け、に関連するＭＡＣレイヤの機能性。
【００２５】
[0033]  送信（ＴＸ）プロセッサ３１６および受信（ＲＸ）プロセッサ３７０は、様々な信号処理機能に関連するレイヤ１の機能性をインプリメントする。レイヤ１は、物理（ＰＨＹ）レイヤを含み、トランスポートチャネル上での誤り検出、トランスポートチャネルの前方誤り訂正（ＦＥＣ）コーディング／復号、インタリーブ、レートマッチング、物理チャネル上へのマッピング、物理チャネルの変調／復調、およびＭＩＭＯアンテナ処理を含み得る。ＴＸプロセッサ３１６は、様々な変調スキーム（例えば、２相位相シフトキーイング（ＢＰＳＫ：binary phase-shift keying）、４相位相シフトキーイング（ＱＰＳＫ：quadrature phase-shift keying）、Ｍ相位相シフトキーイング（Ｍ−ＰＳＫ：M-phase-shift keying）、Ｍ値直交振幅変調（Ｍ−ＱＡＭ：M-quadrature amplitude modulation））に基づいた信号コンステレーション（signal constellations）へのマッピングを処理（handles）する。その後、コーディングされたおよび変調されたシンボルは、並列ストリーム（parallel streams）に分けられ得る。その後、各ストリームは、ＯＦＤＭサブキャリアにマッピングされ、時間および／または周波数領域において基準信号（例えば、パイロット）と多重化され、その後、逆高速フーリエ変換（ＩＦＦＴ：Inverse Fast Fourier Transform）を使用して組み合わされ、時間領域ＯＦＤＭシンボルストリームを搬送する物理チャネルを作り出し得る。ＯＦＤＭストリームは、複数の空間ストリームを作り出すために空間的にプリコーディングされる。チャネル推定器３７４からのチャネル推定値が、コーディングおよび変調スキームを決定するために、ならびに空間処理のために、使用され得る。チャネル推定値は、ＵＥ３５０によって送信されたチャネル状態フィードバックおよび／または基準信号から導出され得る。そして、各空間ストリームは、別個の送信機３１８ＴＸを介して異なるアンテナ３２０に提供され得る。各送信機３１８ＴＸは、送信のためにそれぞれの空間ストリームでＲＦキャリアを変調し得る。
【００２６】
[0034]  ＵＥ３５０において、各受信機３５４ＲＸは、それのそれぞれのアンテナ３５２を通じて信号を受信する。各受信機３５４ＲＸは、ＲＦキャリア上に変調された情報を復元し、受信（ＲＸ）プロセッサ３５６にこの情報を提供する。ＴＸプロセッサ３６８およびＲＸプロセッサ３５６は、様々な信号処理機能に関連するレイヤ１の機能性をインプリメントする。ＲＸプロセッサ３５６は、ＵＥ３５０を宛先とする任意の空間ストリームを復元するために、この情報に対して空間処理を実施し得る。複数の空間ストリームがＵＥ３５０を宛先とする場合、それらは、ＲＸプロセッサ３５６によって単一のＯＦＤＭシンボルストリームに組み合わされ得る。その後、ＲＸプロセッサ３５６は、高速フーリエ変換（ＦＦＴ）を使用して、ＯＦＤＭシンボルストリームを時間領域から周波数領域に変換する。周波数領域信号は、ＯＦＤＭ信号の各サブキャリアについて別個のＯＦＤＭシンボルストリームを備える。各サブキャリア上のシンボル、および基準信号は、ｅＮＢ３１０によって送信された最も可能性の高い（the most likely）信号コンステレーションポイントを決定することによって復元および復調される。これらの軟判定（soft decisions）は、チャネル推定器３５８によって計算されるチャネル推定値に基づき得る。その後、軟判定は、物理チャネル上でｅＮＢ３１０によって本来送信されたデータおよび制御信号を復元するために、復号およびデインタリーブされる。その後、データおよび制御信号は、コントローラ／プロセッサ３５９に提供され、それはレイヤ３およびレイヤ２の機能性をインプリメントする。
【００２７】
[0035]  コントローラ／プロセッサ３５９は、プログラムコードおよびデータを記憶するメモリ３６０に関連付けられることができる。メモリ３６０は、コンピュータ読み取り可能な媒体と呼ばれ得る。ＵＬでは、コントローラ／プロセッサ３５９は、ＥＰＣ１６０からのＩＰパケットを復元するために、トランスポートと論理チャネルとの間の逆多重化、パケットリアセンブリ、解読、ヘッダ解凍、および制御信号処理を提供する。コントローラ／プロセッサ３５９はまた、ＨＡＲＱ動作をサポートするために、ＡＣＫおよび／またはＮＡＣＫプロトコルを使用した誤り検出を担う。
【００２８】
[0036]  ｅＮＢ３１０によるＤＬ送信に関連して説明された機能性と同様に、コントローラ／プロセッサ３５９は、次のものを提供する：システム情報（例えば、ＭＩＢ、ＳＩＢ）の取得、ＲＲＣ接続、および測定報告、に関連するＲＲＣレイヤの機能性；ヘッダ圧縮／解凍、およびセキュリティ（暗号化、解読、完全性保護、完全性検証）、に関連するＰＤＣＰレイヤの機能性；上位レイヤＰＤＵの転送、ＡＲＱによる誤り訂正、連結、セグメンテーション、およびＲＬＣ  ＳＤＵのリアセンブリ、ＲＬＣデータＰＤＵの再セグメンテーション、およびＲＬＣデータＰＤＵの並べ替え、に関連するＲＬＣレイヤの機能性；および、論理チャネルとトランスポートチャネルとの間のマッピング、ＴＢ上へのＭＡＣ  ＳＤＵの多重化、ＴＢからのＭＡＣ  ＳＤＵの逆多重化、スケジューリング情報報告、ＨＡＲＱによる誤り訂正、優先処理、および論理チャネルの優先順位付け、に関連するＭＡＣレイヤの機能性。
【００２９】
[0037]  ｅＮＢ３１０によって送信されたフィードバックまたは基準信号からチャネル推定器３５８によって導出されたチャネル推定値は、ＴＸプロセッサ３６８によって、適切なコーディングおよび変調スキームを選択し、および空間処理を容易にするために、使用され得る。ＴＸプロセッサ３６８によって生成された空間ストリームは、別個の送信機３５４ＴＸを介して異なるアンテナ３５２に提供され得る。各送信機３５４ＴＸは、送信のためにそれぞれの空間ストリームでＲＦキャリアを変調し得る。
【００３０】
[0038]  ＵＬ送信は、ＵＥ３５０における受信機の機能に関して説明されたものと同様の方法でｅＮＢ３１０において処理される。各受信機３１８ＲＸは、それのそれぞれのアンテナ３２０を通じて信号を受信する。各受信機３１８ＲＸは、ＲＦキャリア上に変調された情報を復元し、ＲＸプロセッサ３７０にこの情報を提供する。
【００３１】
[0039]  コントローラ／プロセッサ３７５は、プログラムコードおよびデータを記憶するメモリ３７６に関連付けられることができる。メモリ３７６は、コンピュータ読み取り可能な媒体と呼ばれ得る。ＵＬでは、コントローラ／プロセッサ３７５は、ＵＥ３５０からのＩＰパケットを復元するために、トランスポートと論理チャネルとの間の逆多重化、パケットリアセンブリ、解読、ヘッダ解凍、制御信号処理を提供する。コントローラ／プロセッサ３７５からのＩＰパケットは、ＥＰＣ１６０に提供され得る。コントローラ／プロセッサ３７５はまた、ＨＡＲＱ動作をサポートするために、ＡＣＫおよび／またはＮＡＣＫプロトコルを使用した誤り検出を担う。
【００３２】
[0040]  図４は、デバイス・ツー・デバイス（Ｄ２Ｄ）通信システム４６０の図である。Ｄ２Ｄ通信システム４６０は、複数のＵＥ４６４、４６６、４６８、４７０を含む。Ｄ２Ｄ通信システム４６０は、例えば、ＷＷＡＮのようなセルラ通信システムとオーバーラップし得る。ＵＥ４６４、４６６、４６８、４７０のうちのいくつかは、ＤＬ／ＵＬ  ＷＷＡＮスペクトルを使用してＤ２Ｄ通信において共に通信し得、いくつかは基地局４６２と通信し得、またいくつかは両方を行い得る。例えば、図４に示されるように、ＵＥ４６８、４７０はＤ２Ｄ通信しており、ＵＥ４６４、４６６はＤ２Ｄ通信している。ＵＥ４６４、４６６はまた基地局４６２とも通信している。Ｄ２Ｄ通信は、物理サイドリンクブロードキャストチャネル（ＰＳＢＣＨ：physical sidelink broadcast channel）、物理サイドリンク発見チャネル（ＰＳＤＣＨ）、物理サイドリンク共有チャネル（ＰＳＳＣＨ）、および物理サイドリンク制御チャネル（ＰＳＣＣＨ）のような、１つまたは複数のサイドリンクチャネルを通したものであり得る。
【００３３】
[0041]  以下に説明される例示的な方法および装置は、例えば、ＩＥＥＥ８０２．１１規格に基づくＷｉ−Ｆｉ、ＺｉｇＢｅｅ、Ｂｌｕｅｔｏｏｔｈ（登録商標）、ＷｉＭｅｄｉａ、またはＦｌａｓｈＬｉｎＱに基づいたワイヤレスデバイス・ツー・デバイス通信システムのような、多様なワイヤレスＤ２Ｄ通信システムのうちのいかなるものにも適用可能である。説明を簡潔にするために、例示的な方法および装置は、ＬＴＥの文脈の中で説明される。しかしながら、当業者は、例示的な方法および装置が、より広く様々な他のワイヤレスデバイス・ツー・デバイス通信システムに適用可能であることを理解するだろう。
【００３４】
[0042]  図５は、本開示の様々な態様によるワイヤレス通信システムのセル５００を例示する図である。図５は、ｅＮＢ５０２、ＵＥ５０４、ならびに、リレイＵＥ５０６および５０８を含む。セル５００は、例示しやすくするために、１つのＵＥ（例えば、ＵＥ５０４）と２つのリレイＵＥ（例えば、リレイＵＥ５０６、５０８）を含むが、セル５００は、他の態様では、図５に示されたものとは異なる数のＵＥおよびリレイＵＥを含み得ることは理解されるべきである。図５では、円５２０の外周は、円５２０内の通信デバイス（例えば、ＵＥ５０４、および／または、リレイＵＥ５０６および５０８）がｅＮＢ５０２の通信範囲内にあると考えられるようなセル５００のエッジを表す。図５に示されるように、ＵＥ５０４は、無線リンク５１０を介してｅＮＢ５０２と通信しており、リレイＵＥ５０６は、無線リンク５１２を介してｅＮＢ５０２と通信しており、そしてリレイＵＥ５０８は、無線リンク５１４を介してｅＮＢ５０２と通信している。
【００３５】
[0043]  一態様では、ＵＥ５０４が１つまたは複数のリレイＵＥと通信するための能力を有する場合、ＵＥ５０４は、リレイＵＥ５０６との無線リンク５１６を確立し得、そして無線リンク５１６を通してｅＮＢ５０２と通信し得る。別の例として、ＵＥ５０４は、リレイＵＥ５０８との無線リンク５１８を確立し得、そして無線リンク５１８を通してｅＮＢ５０２と通信し得る。故に、図５の構成では、リレイＵＥ５０６および５０８は、各々、ｅＮＢ５０２とＵＥ５０４との間のリレイノードとしての役割を果たすように構成されるＵＥであり得る。
【００３６】
[0044]  一態様では、ＵＥ５０４は、１つまたは複数のリレイＵＥと通信するための能力を示す情報をｅＮＢ５０２に送信するように構成され得る。例えば、ＵＥ５０４は、ＵＥ５０４がセル５００のエッジに接近するとき、そのような情報を無線リンク５１０を通してｅＮＢ５０２に送信し得る。一態様では、１つまたは複数のリレイＵＥと通信するための能力を示す情報は、ＵＥ５０４が１つまたは複数のリレイＵＥとのデバイス・ツー・デバイス（Ｄ２Ｄ）通信および／またはＤ２Ｄ発見を実施することができることを示し得る。
【００３７】
[0045]  一態様では、ＵＥ５０４は、無線リンク５１０の１つまたは複数の測定を実施し得、１つまたは複数の測定値をｅＮＢ５０２に送信し得る。そのような態様では、ｅＮＢ５０２は、１つまたは複数の測定値の受信に応答して、ＵＥ５０４に構成情報を送信し得る。例えば、構成情報は、セル５００内の１つまたは複数のリレイＵＥ（例えば、リレイＵＥ５０６、５０８）を識別するための発見プロシージャをＵＥ５０４が実施するべきである状況を示し得る。したがって、ＵＥ５０４がセル５００のエッジに接近するとき、構成情報は、ｅＮＢ５０２がリレイＵＥと通信することができなくなる前に、ＵＥ５０４がリレイＵＥ（例えば、リレイＵＥ５０６、５０８）を探索することを開始することを可能にする。言い換えれば、構成情報は、ＵＥ５０４が、ＵＥ５０４とｅＮＢ５０２との間の無線リンク５１０が失われる（lost）前にリレイＵＥを探索することを開始することを可能にする。
【００３８】
[0046]  一態様では、ｅＮＢ５０２は、ＵＥ５０４に送信される無線リソース制御（ＲＲＣ）再構成メッセージ中に、またはＵＥ５０４に送信されるシステム情報ブロック（ＳＩＢ）中に、構成情報を含め得る。一態様では、構成情報は、基準信号受信電力（ＲＳＲＰ：reference signal received power）しきい値およびヒステリシス（hysteresis）を含み得る。そのような態様では、ＵＥ５０４は、ＵＥ５０４とｅＮＢ５０２との間の無線リンク５１０のＲＳＲＰがＲＳＲＰのしきい値より低いかまたはそれに等しいとき、セル５００内のリレイＵＥを識別するための発見プロシージャを実施し得る。別の態様では、構成情報は、セル５００内のリレイＵＥを識別するめに発見プロシージャを実施するためのコマンドを含み得る。
【００３９】
[0047]  一態様では、ＵＥ５０４が１つまたは複数のリレイＵＥ（例えば、リレイＵＥ５０６、５０８）を識別した後に、ＵＥ５０４は、１つまたは複数の識別されたリレイＵＥの中からリレイＵＥを選択し得る。一態様では、ＵＥ５０４は、構成情報に基づいて、リレイＵＥを選択し得る。そのような態様では、構成情報は、リレイＵＥとｅＮＢ５０２との間のしきい値バックホールリンク品質、および／または、リレイＵＥとＵＥ５０４との間のしきい値リンク品質を示し得る。例えば、ＵＥ５０４が発見プロシージャを実施し、リレイＵＥ５０６、５０８を識別する場合、ＵＥ５０４は、構成情報に示されるしきい値バックホールリンク品質を超えるバックホールリンク品質を有するリレイＵＥを選択し得る。リレイＵＥ５０６についてのバックホールリンク品質は、無線リンク５１２の品質であり得、リレイＵＥ５０８についてのバックホールリンク品質は、無線リンク５１４の品質であり得る。別の例として、ＵＥ５０４が発見プロシージャを実施し、リレイＵＥ５０６、５０８を識別する場合、ＵＥ５０４は、構成情報に含まれるしきい値リンク品質を超えるリンク品質を有するリレイＵＥを選択し得る。リレイＵＥ５０６についてのリンク品質は、無線リンク５１６の品質であり得、リレイＵＥ５０８についてのリンク品質は、無線リンク５１８の品質であり得る。ＵＥ５０４は次いで、選択されたリレイＵＥとの確立された無線リンクを通してｅＮＢ５０２と通信し得る。例えば、ＵＥ５０４がリレイＵＥ５０８を選択する場合、ＵＥ５０４は、リレイＵＥ５０８との確立された無線リンク５１８を通してｅＮＢ５０２と通信し得る。一態様では、構成情報がリレイＵＥとｅＮＢ５０２との間のしきい値バックホールリンク品質、および／または、リレイＵＥとＵＥ５０４との間のしきい値リンク品質を示さない場合、ＵＥ５０４は、発見された任意のリレイＵＥを選択し得る。
【００４０】
[0048]  一態様では、ＵＥ５０４は、ＵＥ５０４とｅＮＢ５０２との間の無線リンク５１０の障害（a failure）を検出し得る。例えば、ＵＥ５０４は、タイマＴ３１０の終了（expiration）に応答して、無線リンク５１０の障害を検出し得る。この態様では、構成情報は、無線リンク５１０の障害を検出した際に、または、無線リンク５１０の障害を検出した後に別のセルを探索することをＵＥ５０４が開始するとすぐに、ＵＥ５０４が発見プロシージャを実施することを可能にする。
【００４１】
[0049]  図６は、ＵＥがリレイＵＥを選択することおよびリレイＵＥと通信することを例示するコールフローダイアグラムである。ＵＥおよび基地局は、無線リンクの障害に先立って情報を交換し得る。例えば、ＵＥ５０４は、ＵＥ５０４がリレイに関連するＤ２Ｄ通信（relay related D2D communication）のために構成されていることをｅＮＢ５０２に知らせるために、能力情報（capability information）６０２をｅＮＢ５０２に送信し得る。能力情報は、ＵＥ５０４が、１つまたは複数のリレイＵＥ（例えば、５０６、５０８）と通信するための無線リソースで構成されていることを示し得る。能力情報は、１つまたは複数のリレイＵＥ（例えば、５０６、５０８）とのデバイス・ツー・デバイス（Ｄ２Ｄ）通信および／またはＤ２Ｄ発見を実施するために、ＵＥ５０４がサイドリンク通信（例えば、ＰＳＢＣＨ、ＰＳＤＣＨ、ＰＳＳＣＨ、ＰＳＣＣＨ等を介して）を使用し得ることを指定し得る。
【００４２】
[0050]  今度はｅＮＢ５０２は、構成情報６０４をＵＥ５０４に送信し得る。構成情報は、１つまたは複数のリレイＵＥ（例えば、リレイＵＥ５０６、５０８）を識別するための発見プロシージャをＵＥ５０４が実施すべきことを示すために、１つまたは複数の測定値のしきい値（measurement threshold values）（例えば、ＲＳＲＰ、ＲＳＲＱ）を提供し得る。例として、ＵＥ５０４は、ｅＮＢ５０２からＲＳ６０６（例えば、ＤＬ−ＲＳ、ＣＳＩ−ＲＳ、ＵＥ−ＲＳ、図２Ａ）を受信し得、そしてＲＳに基づいて、ＵＥ５０４は、ＲＳＲＰ６０８測定値を計算してｅＮＢ５０２に報告を返し得る。受信されたＲＳＲＰ測定値に基づいて、ｅＮＢは、ＲＳＲＰがしきい値を下回るよう下がるときにＵＥ５０４が発見プロシージャを実施すべきことを示すために、ＲＳＲＰのしきい値を伴った構成情報６０４を、ＵＥ５０４に送信し得る。
【００４３】
[0051]  他の測定値およびインジケータが提供され得ることは認識されるべきである。例えば、ＲＳＲＰの代わりに、ＲＳＲＱが測定の値（the measure value）であり得る。同様に、構成情報は、測定値（例えば、ＲＳＲＰ、ＲＳＲＱ）がしきい値を下回る状態に留まってはじめてＵＥが発見プロシージャを実施するように示し得るヒステリシスまたはパーシステンス（persistence）（ステイ）等の他のインジケータを含んでいる可能性がある。さらに、ｅＮＢは、標準通信の一部として構成情報を提供し得ることは認識されるべきである。例えば、ｅＮＢは、ＲＲＣまたはＳＩＢ内に構成を含み得る。
【００４４】
[0052]  ＲＳＲＰがしきい値より低く下がったとＵＥ５０４が決定するとき、ＵＥ５０４は、無線リンクが失われる前に、リレイＵＥ（例えば、５０６、５０８）を探索することを開始し得る。ＵＥ５０４は、利用可能なリレイＵＥを決定するための発見プロシージャを実施し得る。例えば、ＵＥ５０４は、セル５００の外周の外側に配置されて、そしてカバレッジを外れ得る。よって、ＵＥ５０４は、ＲＳＲＰがしきい値を下回ることを決定することになる６１０。ＲＳＲＰがしきい値を下回るとの決定６１０に応答して、ＵＥ５０４は、リレイＵＥとして構成され得る好適な候補としてＵＥ５０６およびＵＥ５０８を識別する発見プロシージャ（例えば、発見６１２、発見６１４）を実施する。
【００４５】
[0053]  いくつかの態様では、ＵＥは、リレイＵＥの選択を、各リレイＵＥ候補のそれぞれの測定値に基づいて行い得る。例えば、ＵＥ５０４は、発見６１２からのＵＥ５０８のＲＳＲＰおよびヒステリシス測定値と、発見６１４からのＵＥ５０６のＲＳＲＰおよびヒステリシス測定値とを比較して、ＵＥ５０６がより好ましいリレイＵＥ候補であると決定し得る。この事例では、ＵＥ５０４は、リレイＵＥとしてＵＥ５０６を選択し得る（例えば、リレイＵＥを選択する６１６）。
【００４６】
[0054]  加えて、ＵＥは、バックホールリンク品質を考慮し、基準に基づいて、最良の無線リンク品質を有するＵＥ候補を選択し得る。例えば、ＵＥは、各ＵＥ候補から受信されたサイドリンクＲＳＲＰ、ならびに、候補のＵＥとｅＮＢとの間で報告された、いかなる報告されたＲＳＲＰ測定値も考慮し得る。例えば、ＵＥ５０４がセル５００の外側およびカバレッジ外にあり得る１つのシナリオでは、ＵＥ５０８は、ＵＥ５０４とｅＮＢの間であるがセル５００の外周の近くに配置され得、ＵＥ５０６は、ＵＥ５０８とｅＮＢとの間に配置され得る。このシナリオでは、ＵＥ５０４の発見プロシージャは、ＵＥ５０８が、強いサイドリンクＲＳＲＰを有する一方でｅＮＢ５０２に対して弱いＲＳＲＰリンクを有し、それに対してＥＵ５０６のサイドリンクＲＳＲＰはＥＵ５０８ほど強くはないが、ＥＵ５０６はｅＮＢ５０２に対してより強いＲＳＲＰリンクを有することを示す。これらの測定値に基づいて、たとえＵＥ５０６のサイドリンクＲＳＲＰがＵＥ５０８より低かったとしても、失われる信号の可能性がより少ないＵＥ５０６を、ＵＥが、リレイＵＥ５０６として選択することは、望ましい可能性がある。
【００４７】
[0055]  ＵＥ５０４が一旦ＵＥ５０６を選択する（例えば、リレイＵＥを選択する６１６）と、ＵＥ５０４は、ＵＥ５０６と接続を確立する。つまり、ＵＥ５０６は、ｅＮＢ５０２との無線リンク（例えば、リレイリンク６２０）を維持し、ＵＥ５０４に、（例えば、ＰＳＢＣＨ、ＰＳＤＣＨ、ＰＳＳＣＨ、ＰＳＣＣＨ等を介して）サイドリンク通信（例えば、リレイリンク６２２）を使用して通信を中継する。例えば、ＵＥ５０６は、リレイリンク６２０を介してｅＮＢ５０２からパケットを受信し、同じパケットをリレイリンク６２２を介してＵＥ５０４に送信し得る。同様に、ＵＥ５０６は、リレイリンク６２２を介してＵＥ５０４からパケットを受信し、同じパケットをリレイリンク６２０を介してｅＮＢ５０２に送信し得る。
【００４８】
[0056]  図７は、ワイヤレス通信の方法のフローチャート６００である。方法は、ＵＥ（例えば、ＵＥ５０４、装置７０２／７０２’）によって実施され得る。図６に点線で示される動作は、オプションの動作を表すことは理解されるべきである。
【００４９】
[0057]  一態様では、６０２において、ＵＥは、基地局に、１つまたは複数のリレイＵＥと通信するための能力を示す情報を送信する。例えば、ＵＥ５０４は、ＵＥ５０４が１つまたは複数のリレイＵＥと通信するための能力を有することを示すＵＥ５０４の能力情報をｅＮＢ５０２に送信し得る。
【００５０】
[0058]  一態様では、６０４において、ＵＥは、ＵＥと基地局との間の無線リンクの１つまたは複数の測定を実施する。いくつかの事例では、無線リンク５１０の１つまたは複数の測定値は、ＵＥ５０４がセル５００のエッジに接近していることを示し得る。
【００５１】
[0059]  一態様では、６０６において、ＵＥは、１つまたは複数の測定値を基地局に送信する。例えば、いくつかの事例では、１つまたは複数の測定値は、基準信号受信電力（ＲＳＲＰ）を含み得る。
【００５２】
[0060]  一態様では、６０８において、ＵＥは、基地局から、１つまたは複数のリレイＵＥを識別するための発見プロシージャに関連する構成情報を受信する。例えば、ＵＥ５０４は、基準信号受信電力（ＲＳＲＰ）しきい値およびヒステリシスを含む構成情報を、無線リソース制御（ＲＲＣ）再構成メッセージ中で、またはシステム情報ブロック（ＳＩＢ）中で、受信し得る。
【００５３】
[0061]  一態様では、６１０において、ＵＥは、ＵＥと基地局との間の無線リンクの障害を検出する。いくつかの事例では、ＵＥ５０４はｅＮＢ５０２の通信範囲を去り得、それにより無線リンク５１０が失われる（drop）。そのような状況では、ＵＥ５０４は、タイマＴ３１０の終了に応答して、無線リンク５１０が失われたことを検出し得る。
【００５４】
[0062]  一態様では、６１２において、ＵＥは、構成情報に基づいて、発見プロシージャを実施する。いくつかの事例では、例えば、ＵＥ５０４は、ＵＥ５０４とｅＮＢ５０２との間の無線リンク５１０のＲＳＲＰがＲＳＲＰのしきい値より低いかまたはそれに等しいとき、セル５００内のリレイＵＥを識別するための発見プロシージャを実施し得る。
【００５５】
[0063]  一態様では、６１４において、ＵＥは、構成情報に基づいて、１つまたは複数の識別されたリレイＵＥの中からリレイＵＥを選択する。例えば、ＵＥ５０４は、構成情報に示されるしきい値バックホールリンク品質を超えるバックホールリンク品質を有するリレイＵＥを選択し得る。この事例では、リレイＵＥ５０６についてのバックホールリンク品質は、無線リンク５１２の品質であり得、リレイＵＥ５０８についてのバックホールリンク品質は、無線リンク５１４の品質であり得る。別の例では、ＵＥ５０４は、構成情報に含まれるしきい値リンク品質を超えるリンク品質を有するリレイＵＥを選択し得る。この事例では、リレイＵＥ５０６についてのリンク品質は、無線リンク５１６の品質であり得、リレイＵＥ５０８についてのリンク品質は、無線リンク５１８の品質であり得る。
【００５６】
[0064]  一態様では、６１６において、ＵＥは、構成情報がいずれのリレイＵＥの選択の基準も含まないとき、１つまたは複数の識別されたリレイＵＥの中から任意のリレイＵＥを選択する。例えば、発見プロシージャがリレイＵＥ５０６またはリレイＵＥ５０８を識別するが、構成情報がリレイＵＥとｅＮＢ５０２との間のしきい値バックホールリンク品質、および／または、リレイＵＥとＵＥ５０４との間のしきい値リンク品質を示さない場合、ＵＥ５０４は、リレイＵＥ５０６またはリレイＵＥ５０８のいずれかを選択し得る。
【００５７】
[0065]  一態様では、６１８において、ＵＥは、選択されたリレイＵＥとの無線リンクを確立する。例えば、ＵＥ５０４が一旦リレイ５０６を識別して選択すると、ＵＥ５０４は、リレイＵＥ５０６との無線リンク５１６を確立し得る。
【００５８】
[0066]  最後に、一態様では、６２０において、ＵＥは、選択されたリレイＵＥとの確立された無線リンクを通して基地局と通信する。つまり、リレイＵＥ５０６との無線リンク５１６を確立すると、ＵＥ５０４は、無線リンク５１６を通してｅＮＢ５０２と通信し得る。
【００５９】
[0067]  図７は、例示的な装置７０２における異なる手段／コンポーネント間のデータフローを例示する概念的データフローダイアグラム７００である。装置は、ＵＥであり得る。装置は、受信コンポーネント７０４、測定コンポーネント７０６、無線リンク障害検出コンポーネント７０８、発見コンポーネント７１０、リレイＵＥ選択コンポーネント７１２、無線リンク確立コンポーネント７１４、および送信コンポーネント７１６を含む。一態様では、送信コンポーネント７１６は、基地局に、リレイＵＥと通信するための能力を示す情報を送信するように構成される。加えて、受信コンポーネント７０４は、基地局から、リレイＵＥを識別するための発見プロシージャに関連する構成情報を受信するように構成される。加えて、発見コンポーネント７１０は、受信された構成情報に基づいて、発見プロシージャを実施するように構成される。
【００６０】
[0068]  一構成では、測定コンポーネント７０６は、ＵＥと基地局との間の無線リンクの測定を実施するように構成される。加えて、送信コンポーネント７１６は、測定値を基地局に送信するように構成される。一構成では、構成情報は、基準信号受信電力（ＲＳＲＰ）しきい値およびヒステリシスを備える。そのような構成では、発見コンポーネント７１０は、ＵＥと基地局との間の無線リンクのＲＳＲＰがＲＳＲＰのしきい値より低いかまたはそれに等しいとき、発見プロシージャを実施するように構成される。一構成では、構成情報は、発見コンポーネント７１０が発見プロシージャを実施するためのコマンドを備える。一構成では、受信コンポーネント７０４は、無線リソース制御（ＲＲＣ）再構成メッセージまたはシステム情報ブロック（ＳＩＢ）中で構成情報を受信するように構成される。一構成では、リレイＵＥ選択コンポーネント７１２は、受信された構成情報に基づいて、識別されたリレイＵＥからリレイＵＥを選択するように構成される。加えて、無線リンク確立コンポーネント７１４は、選択されたリレイＵＥとの無線リンクを確立するように構成される。加えて、送信コンポーネント７１６は、選択されたリレイＵＥとの確立された無線リンクを通して基地局と通信するように構成される。一構成では、受信された構成情報は、発見コンポーネント７１０が、ＵＥと基地局との間の無線リンクの障害に先立って発見プロシージャを実施することを可能にする。一構成では、無線リンク障害検出コンポーネント７０８は、ＵＥと基地局との間の無線リンクの障害を検出するように構成される。そのような構成では、受信された構成情報は、発見コンポーネント７１０が、ＵＥと基地局との間の無線リンクの障害を検出した際に、発見プロシージャを実施することを可能にする。一構成では、リレイＵＥ選択コンポーネント７１２は、構成情報がいずれのリレイＵＥの選択の基準も含まないとき、発見コンポーネント７１０によって実施される発見プロシージャから識別されたリレイＵＥ任意のリレイＵＥを選択するように構成される。
【００６１】
[0069]  装置は、図６の前述のフローチャートにおけるアルゴリズムのブロックの各々を実施する追加的なコンポーネントを含み得る。したがって、図６の前述のフローチャートにおける各ブロックは、１つのコンポーネントによって実施され得、装置は、それらのコンポーネントのうちの１つまたは複数を含み得る。これらコンポーネントは、述べられたプロセス／アルゴリズムを実行するように特に構成された１つまたは複数のハードウェアコンポーネントであるか、述べられたプロセス／アルゴリズムを実施するよう構成されたプロセッサによってインプリメントされるか、プロセッサによるインプリメンテーションのためにコンピュータ読み取り可能な媒体内に記憶されるか、またはこれらの何らかの組み合わせであり得る。
【００６２】
[0070]  図８は、処理システム８１４を用いる装置７０２’についてのハードウェアインプリメンテーションの例を例示する図８００である。処理システム８１４は、概してバス８２４によって表されるバスアーキテクチャを用いてインプリメントされ得る。バス８２４は、処理システム８１４の特定の用途および全体的な設計制約に応じて、相互接続バスおよびブリッジをいくつでも含み得る。バス８２４は、プロセッサ８０４、コンポーネント７０４、７０６、７０８、７１０、７１２、７１４、７１６、およびコンピュータ読み取り可能な媒体／メモリ８０６によって表される、１つまたは複数のプロセッサおよび／またはハードウェアコンポーネントを含む様々な回路を互いにリンクする。バス８２４はまた、タイミングソース、周辺機器、電圧レギュレータ、および電力管理回路のような、様々な他の回路もリンクさせ得るが、これらは当該技術で周知であるため、これ以上説明されることはない。
【００６３】
[0071]  処理システム８１４は、トランシーバ８１０に結合され得る。トランシーバ８１０は、１つまたは複数のアンテナ８２０に結合される。トランシーバ８１０は、送信媒体を介して様々な他の装置と通信するための手段を提供する。トランシーバ８１０は、１つまたは複数のアンテナ８２０から信号を受信し、受信された信号から情報を抽出し、抽出された情報を処理システム８１４に、特に受信コンポーネント８０４に、提供する。加えて、トランシーバ８１０は、処理システム８１４、特に送信コンポーネント８１６から情報を受信し、その受信された情報に基づいて、１つまたは複数のアンテナ８２０に適用される信号を生成する。処理システム８１４は、コンピュータ読み取り可能な媒体／メモリ８０６に結合されたプロセッサ８０４を含む。プロセッサ８０４は、コンピュータ読み取り可能な媒体／メモリ８０６に記憶されたソフトウェアの実行を含む一般的な処理を担う。ソフトウェアは、プロセッサ８０４によって実行されたとき、処理システム８１４に、任意の特定の装置に関して上で説明した様々な機能を実施させる。コンピュータ読み取り可能な媒体／メモリ８０６はまた、ソフトウェアを実行するときにプロセッサ８０４によって操作されるデータを記憶するために使用され得る。処理システム８１４はさらに、コンポーネント７０４、７０６、７０８、７０８、７１０、７１２、７１４、および７１６のうちの少なくとも１つを含む。これらのコンポーネントは、プロセッサ８０４上で動作するかコンピュータ読み取り可能な媒体／メモリ８０６に存在／記憶されたソフトウェアコンポーネントか、プロセッサ８０４に結合された１つまたは複数のハードウェアコンポーネントか、またはそれらの何らかの組み合わせであり得る。処理システム８１４は、ＵＥ３５０のコンポーネントであり得、メモリ３６０および／またはＴＸプロセッサ３６８、ＲＸプロセッサ３５６、およびコントローラ／プロセッサ３５９のうちの少なくとも１つを含み得る。
【００６４】
[0072]  一構成では、ワイヤレス通信のための装置７０２／７０２’は、基地局に、１つまたは複数のリレイＵＥと通信するための能力を示す情報を送信するための手段を含む。加えて、装置は、基地局から、１つまたは複数のリレイＵＥを識別するための発見プロシージャに関連する構成情報を受信するための手段を含む。加えて、装置は、構成情報に基づいて、発見プロシージャを実施するための手段を含む。一構成では、装置は、ＵＥと基地局との間の無線リンクの１つまたは複数の測定を実施するための手段をさらに含み得る。加えて、装置は、１つまたは複数の測定値を基地局に送信するための手段を含む。一構成では、構成情報は、基準信号受信電力（ＲＳＲＰ）しきい値およびヒステリシスを備える。そのような構成では、ＵＥは、ＵＥと基地局との間の無線リンクのＲＳＲＰがＲＳＲＰのしきい値より低いかまたはそれに等しいとき、発見プロシージャを実施する。一構成では、構成情報は、発見プロシージャを実施するためのコマンドを備える。一構成では、構成情報は、無線リソース制御（ＲＲＣ）再構成メッセージまたはシステム情報ブロック（ＳＩＢ）中で受信される。一構成では、装置は、構成情報に基づいて、１つまたは複数の識別されたＵＥの中からリレイＵＥを選択するための手段をさらに含み得る。加えて、装置は、選択されたリレイＵＥとの無線リンクを確立するための手段を含む。加えて、装置は、選択されたリレイＵＥとの確立された無線リンクを通して基地局と通信するための手段を含む。一構成では、構成情報は、ＵＥと基地局との間の無線リンクの障害に先立って発見プロシージャが実施されることを可能にする。一構成では、装置は、ＵＥと基地局との間の無線リンクの障害を検出するための手段をさらに含み得る。加えて、構成情報は、ＵＥと基地局との間の無線リンクの障害を検出した際に、発見プロシージャが実施されることを可能にする。
【００６５】
[0073]  一構成では、装置は、構成情報がいずれのリレイＵＥの選択の基準も含まないとき、１つまたは複数の識別されたＵＥから任意のリレイＵＥを選択するための手段をさらに含み得る。前述の手段は、前述の手段によって記載された機能を実施するように構成された装置７０２’の処理システム８１４および／または装置７０２の前述のコンポーネントのうちの１つまたは複数であり得る。上に説明されたように、処理システム８１４は、ＴＸプロセッサ３６８、ＲＸプロセッサ３５６、およびコントローラ／プロセッサ３５９を含み得る。したがって、１つの構成では、前述の手段は、前述の手段によって記載された機能を実施するよう構成されたＴＸプロセッサ３６８、ＲＸプロセッサ３５６、およびコントローラ／プロセッサ３５９であり得る。
【００６６】
[0074]  開示されたプロセス／フローチャートにおけるブロックの特定の順序または階層は、例示的なアプローチの一例であるということは理解される。設計の選好に基づいて、これらのプロセス／フローチャートにおけるブロックの特定の順序または階層は並べ換えられ得ることは理解される。さらに、いくつかのブロックは、組み合わせられ得るか、または省略され得る。添付の方法の請求項は、様々なブロックの要素をサンプルの順序で提示するが、それらは提示された特定の順序または階層に限定されることを意味していない。
【００６７】
[0075]  先の説明は、当業者が、ここに説明された様々な態様を実施することができるように提供されている。これらの態様に対する様々な変更は、当業者に容易に理解されるものであり、ここに定義された一般的な原理は、他の態様に適用され得る。したがって、特許請求の範囲は、ここに示される態様に限定されるようには意図されておらず、請求項の文言と一致する最大の範囲を認められるべきであり、ここで、ある要素への単数形での言及は、そのように明確に述べられていない限りは「１つおよび１つのみ」を意味するのではなく、「１つまたは複数」を意味するように意図されている。「例示的な（exemplary）」という用語は、ここで「例、実例、または例示としての役割を果たす」という意味で使用される。「例示的」であるとここで説明されたいずれの態様も、必ずしも、他の態様よりも好ましいまたは有利であると解釈されるべきではない。そうでないとの明確な記載がない限り、「いくつかの（some）」という用語は、１つまたは複数に言及するものである。「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」、および「Ａ、Ｂ、Ｃ、またはそれらの任意の組合せ」のような組合せは、Ａ、Ｂ、および／またはＣの任意の組合せを含み、複数のＡ、複数のＢ、または複数のＣを含み得る。具体的には、「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」、および「Ａ、Ｂ、Ｃ、またはそれらの任意の組合せ」のような組合せは、Ａのみ、Ｂのみ、Ｃのみ、ＡとＢ、ＡとＣ、ＢとＣ、またはＡとＢとＣであり得、ここで、任意のこのような組合せは、Ａ、Ｂ、またはＣの１つまたは複数のメンバーを含み得る。当業者に知られている、あるいは後に知られることになる本開示全体にわたって説明された様々な態様の要素に対するすべての構造的および機能的な同等物は、参照によってここに明確に組み込まれ、特許請求の範囲に包含されるように意図されている。さらに、本明細書におけるいかなる開示も、そのような開示が特許請求の範囲に明確に記載されているか否かに関わらず、公に捧げられることを意図したものではない。「モジュール」、「メカニズム」、「要素」、「デバイス」等の用語は、「手段」という用語の代用ではない可能性がある。したがって、要素が「〜のための手段」という表現を使用して明記されていない限り、請求項のいずれの要素もミーンズプラスファンクションとして解釈されるべきではない。
以下に本願の出願当初の特許請求の範囲に記載された発明を付記する。
［Ｃ１］  ユーザ装置（ＵＥ）のためのワイヤレス通信の方法であって、
基地局に、１つまたは複数のリレイＵＥと通信するための能力を示す情報を送信することと、
前記基地局から、前記１つまたは複数のリレイＵＥを識別するための発見プロシージャに関連する構成情報を受信することと、
前記構成情報に基づいて、前記発見プロシージャを実施することと、
を備える、方法。
［Ｃ２］  前記ＵＥと前記基地局との間の無線リンクの１つまたは複数の測定を実施することと、  前記１つまたは複数の測定の値を前記基地局に送信することと、
をさらに備える、Ｃ１に記載の方法。
［Ｃ３］  前記構成情報は、基準信号受信電力（ＲＳＲＰ）しきい値およびヒステリシスを備え、ここにおいて、前記ＵＥは、前記ＵＥと前記基地局との間の前記無線リンクのＲＳＲＰが前記ＲＳＲＰのしきい値より低いかまたはそれに等しいとき、前記発見プロシージャを実施する、Ｃ２に記載の方法。
［Ｃ４］  前記構成情報は、前記発見プロシージャを実施するためのコマンドを備える、Ｃ２に記載の方法。
［Ｃ５］  前記構成情報は、無線リソース制御（ＲＲＣ）再構成メッセージまたはシステム情報ブロック（ＳＩＢ）中で受信される、Ｃ４に記載の方法。
［Ｃ６］  前記構成情報に基づいて、前記１つまたは複数の識別されたリレイＵＥの中からリレイＵＥを選択することと、
前記選択されたリレイＵＥとの無線リンクを確立することと、
前記選択されたリレイＵＥとの確立された前記無線リンクを通して、前記基地局と通信することと、
をさらに備える、Ｃ１に記載の方法。
［Ｃ７］  前記構成情報は、前記ＵＥと前記基地局との間の無線リンクの障害に先立って前記発見プロシージャが実施されることを可能にする、Ｃ１に記載の方法。
［Ｃ８］  前記ＵＥと前記基地局との間の無線リンクの障害を検出すること、
ここにおいて、前記構成情報は、前記ＵＥと前記基地局との間の前記無線リンクの前記障害を検出した際に、前記発見プロシージャが実施されることを可能にする、
をさらに備える、Ｃ１に記載の方法。
［Ｃ９］  前記構成情報がいずれのリレイＵＥの選択の基準も含まないとき、前記１つまたは複数の識別されたリレイＵＥの中から任意のリレイＵＥを選択することをさらに備える、Ｃ１に記載の方法。
［Ｃ１０］  ユーザ装置（ＵＥ）であって、
基地局に、１つまたは複数のリレイＵＥと通信するための能力を示す情報を送信するための手段と、
前記基地局から、前記１つまたは複数のリレイＵＥを識別するための発見プロシージャに関連する構成情報を受信するための手段と、
前記構成情報に基づいて、前記発見プロシージャを実施するための手段と、
を備える、ＵＥ。
［Ｃ１１］  前記ＵＥと前記基地局との間の無線リンクの１つまたは複数の測定を実施するための手段と、
前記１つまたは複数の測定の値を前記基地局に送信するための手段と、
をさらに備える、Ｃ１０に記載のＵＥ。
［Ｃ１２］  前記構成情報は、基準信号受信電力（ＲＳＲＰ）しきい値およびヒステリシスを備え、ここにおいて、前記ＵＥは、前記ＵＥと前記基地局との間の前記無線リンクのＲＳＲＰが前記ＲＳＲＰのしきい値より低いかまたはそれに等しいとき、前記発見プロシージャを実施する、Ｃ１１に記載のＵＥ。
［Ｃ１３］  前記構成情報は、前記発見プロシージャを実施するためのコマンドを備える、Ｃ１１に記載のＵＥ。
［Ｃ１４］  前記構成情報は、無線リソース制御（ＲＲＣ）再構成メッセージまたはシステム情報ブロック（ＳＩＢ）中で受信される、Ｃ１３に記載のＵＥ。
［Ｃ１５］  前記構成情報に基づいて、前記１つまたは複数の識別されたリレイＵＥの中からリレイＵＥを選択するための手段と、
前記選択されたリレイＵＥとの無線リンクを確立するための手段と、
前記選択されたリレイＵＥとの確立された前記無線リンクを通して、前記基地局と通信するための手段と、
をさらに備える、Ｃ１０に記載のＵＥ。
［Ｃ１６］  前記構成情報は、前記ＵＥと前記基地局との間の無線リンクの障害に先立って前記発見プロシージャが実施されることを可能にする、Ｃ１０に記載のＵＥ。
［Ｃ１７］  前記ＵＥと前記基地局との間の無線リンクの障害を検出するための手段、
ここにおいて、前記構成情報は、前記ＵＥと前記基地局との間の前記無線リンクの前記障害を検出した際に、前記発見プロシージャが実施されることを可能にする、
をさらに備える、Ｃ１０に記載のＵＥ。
［Ｃ１８］  前記構成情報がいずれのリレイＵＥの選択の基準も含まないとき、前記１つまたは複数の識別されたリレイＵＥの中から任意のリレイＵＥを選択するための手段をさらに備える、Ｃ１０に記載のＵＥ。
［Ｃ１９］  ユーザ装置（ＵＥ）であって、
メモリと、
前記メモリに結合された少なくとも１つのプロセッサと、
を備え、前記少なくとも１つのプロセッサは、
基地局に、１つまたは複数のリレイＵＥと通信するための能力を示す情報を送信することと、
前記基地局から、前記１つまたは複数のリレイＵＥを識別するための発見プロシージャに関連する構成情報を受信することと、
前記構成情報に基づいて、前記発見プロシージャを実施することと、
を行うように構成される、ＵＥ。
［Ｃ２０］  前記少なくとも１つのプロセッサは、
前記ＵＥと前記基地局との間の無線リンクの１つまたは複数の測定を実施することと、  前記１つまたは複数の測定の値を前記基地局に送信することと、
を行うようにさらに構成される、Ｃ１９に記載のＵＥ。
［Ｃ２１］  前記構成情報は、基準信号受信電力（ＲＳＲＰ）しきい値およびヒステリシスを備え、ここにおいて、前記少なくとも１つのプロセッサは、前記ＵＥと前記基地局との間の前記無線リンクのＲＳＲＰが前記ＲＳＲＰのしきい値より低いかまたはそれに等しいとき、前記発見プロシージャを実施するように構成される、Ｃ２０に記載のＵＥ。
［Ｃ２２］  前記構成情報は、前記発見プロシージャを実施するためのコマンドを備える、Ｃ２０に記載のＵＥ。
［Ｃ２３］  前記構成情報は、無線リソース制御（ＲＲＣ）再構成メッセージまたはシステム情報ブロック（ＳＩＢ）中で受信される、Ｃ２２に記載のＵＥ。
［Ｃ２４］  前記少なくとも１つのプロセッサは、
前記構成情報に基づいて、前記１つまたは複数の識別されたリレイＵＥの中からリレイＵＥを選択することと、
前記選択されたリレイＵＥとの無線リンクを確立することと、
前記選択されたリレイＵＥとの確立された前記無線リンクを通して、前記基地局と通信することと、
を行うようにさらに構成される、Ｃ１９に記載のＵＥ。
［Ｃ２５］  前記構成情報は、前記ＵＥと前記基地局との間の無線リンクの障害に先立って前記発見プロシージャが実施されることを可能にする、Ｃ１９に記載のＵＥ。
［Ｃ２６］  前記少なくとも１つのプロセッサは、
前記ＵＥと前記基地局との間の無線リンクの障害を検出すること、
ここにおいて、前記構成情報は、前記ＵＥと前記基地局との間の前記無線リンクの前記障害を検出した際に、前記発見プロシージャが実施されることを可能にする、
を行うようにさらに構成される、Ｃ１９に記載のＵＥ。
［Ｃ２７］  前記少なくとも１つのプロセッサは、前記構成情報がいずれのリレイＵＥの選択の基準も含まないとき、前記１つまたは複数の識別されたリレイＵＥの中から任意のリレイＵＥを選択するようにさらに構成される、Ｃ１９に記載のＵＥ。
［Ｃ２８］  ワイヤレス通信のためのコンピュータ実行可能コードを記憶するコンピュータ読み取り可能な媒体であって、
基地局に、１つまたは複数のリレイＵＥと通信するための能力を示す情報を送信することと、
前記基地局から、前記１つまたは複数のリレイＵＥを識別するための発見プロシージャに関連する構成情報を受信することと、
前記構成情報に基づいて、前記発見プロシージャを実施することと、
を行うためのコードを備える、コンピュータ読み取り可能な媒体。
【図１】
0006728211.tif 000002
【図２Ａ】
0006728211.tif 000003
【図２Ｂ】
0006728211.tif 000004
【図２Ｃ】
0006728211.tif 000005
【図２Ｄ】
0006728211.tif 000006
【図３】
0006728211.tif 000007
【図４】
0006728211.tif 000008
【図５】
0006728211.tif 000009
【図６】
0006728211.tif 000010
【図７】
0006728211.tif 000011
【図８】
0006728211.tif 000012
【図９】
0006728211.tif 000013